(57)【要約】【課題】炊飯や保温時に鍋および加熱手段の熱量が外方に放出されることを抑え、断熱性を高め消費電力量の低減をはかった炊飯器を提供することを目的とする。【解決手段】炊飯器本体１が、鍋２を加熱する加熱手段４と、内部に加熱手段４を配置するとともに鍋２を着脱自在に収納する保護枠３と、保護枠３の上方位置に構成した上枠６と、開閉自在な蓋１６とを有し、前記保護枠３の外周位置で、保護枠３上方の上枠６と炊飯器本体１を構成するボディ８との少なくとも一方に筒状リブ７または９を設け、炊飯器本体１の保護枠３外方の空間を多重構造としたものである。これによって、炊飯器本体１の保護枠３外方の空間が筒状リブ７または９により多重構造となり、炊飯や保温時に鍋２および加熱手段４の熱量が外方に放出されることを抑え、断熱性を高め消費電力量の低減をはかることができる。【選択図】図１
2007313065.tif 000002
【特許請求の範囲】
【請求項１】
炊飯器本体は、鍋を加熱する加熱手段と、内部に加熱手段を配置するとともに鍋を着脱自在に収納する保護枠と、保護枠の上方位置に構成した上枠と、開閉自在な蓋とを有し、前記保護枠の外周位置で、保護枠上方の上枠と炊飯器本体を構成するボディとの少なくとも一方に筒状リブを設け、炊飯器本体の保護枠外方の空間を多重構造とした炊飯器。
【請求項２】
筒状リブは上枠とボディの両者に設け、両筒状リブの端部を対向させた請求項１に記載の炊飯器。
【請求項３】
筒状リブは上枠とボディの両者に設け、両筒状リブの端部をオーバーラップさせた請求項１に記載の炊飯器。
【請求項４】
筒状リブの端部には相手側と当接するシール用の弾性部材を設けた請求項１〜３のいずれか１項に記載の炊飯器。
【請求項５】
炊飯器本体の保護枠外方の空間を多重構造とする、保護枠の外周位置の筒状リブを複数設けた請求項１〜４のいずれか１項に記載の炊飯器。
【発明の詳細な説明】
【技術分野】
【０００１】
本発明は、炊飯や保温時に熱量を外方に放出することを抑え、断熱性を高めた炊飯器に関するものである。
【背景技術】
【０００２】
従来、この種の炊飯器としては、内部を真空に封止した真空断熱材で鍋を直接覆って、炊飯や保温時の熱量が鍋や炊飯器の外方に放出されるのを抑えているものが知られている（例えば、特許文献１参照）。
【特許文献１】特開２００１−７８８８３号公報
【発明の開示】
【発明が解決しようとする課題】
【０００３】
しかしながら、前記従来の構成では、真空断熱材で鍋を直接覆っているため、鍋から逃げる熱量が減り消費電力量の低減効果が得られるが、加熱手段は断熱されておらず、加熱手段の熱量が炊飯器外方に逃げるという課題を有していた。
【０００４】
本発明は、前記従来の課題を解決するもので、炊飯や保温時に鍋および加熱手段の熱量が外方に放出されることを抑え、断熱性を高め消費電力量の低減をはかった炊飯器を提供することを目的とする。
【課題を解決するための手段】
【０００５】
前記従来の課題を解決するために、本発明の炊飯器は、炊飯器本体が、鍋を加熱する加熱手段と、内部に加熱手段を配置するとともに鍋を着脱自在に収納する保護枠と、保護枠の上方位置に構成した上枠と、開閉自在な蓋とを有し、前記保護枠の外周位置で、保護枠上方の上枠と炊飯器本体を構成するボディとの少なくとも一方に筒状リブを設け、炊飯器本体の保護枠外方の空間を多重構造としたものである。
【０００６】
これによって、炊飯器本体の保護枠外方の空間が筒状リブにより多重構造となり、炊飯や保温時に鍋および加熱手段の熱量が外方に放出されることを抑え、断熱性を高め消費電力量の低減をはかることができる。
【発明の効果】
【０００７】
本発明の炊飯器は、炊飯や保温時に鍋および加熱手段の熱量が外方に放出されることを抑え、断熱性を高め消費電力量の低減をはかることができる。
【発明を実施するための最良の形態】
【０００８】
第１の発明は、炊飯器本体が、鍋を加熱する加熱手段と、内部に加熱手段を配置するとともに鍋を着脱自在に収納する保護枠と、保護枠の上方位置に構成した上枠と、開閉自在な蓋とを有し、前記保護枠の外周位置で、保護枠上方の上枠と炊飯器本体を構成するボディとの少なくとも一方に筒状リブを設け、炊飯器本体の保護枠外方の空間を多重構造とした炊飯器とすることにより、炊飯器本体の保護枠外方の空間が筒状リブにより多重構造となり、炊飯や保温時に鍋および加熱手段の熱量が外方に放出されることを抑え、断熱性を高め消費電力量の低減をはかることができる。また、操作する時に触れやすい炊飯器本体のボディ側面や電子部品を備えた制御基板などの温度上昇を防止することもでき、操作性の向上と制御基板の信頼性を向上させることができる。さらに、炊飯器本体のボディ内面の形状が平面でなく曲面であっても、空間を多重構造とすることができ、炊飯器本体のデザイン性も向上させることができる。
【０００９】
第２の発明は、特に、第１の発明において、筒状リブは上枠とボディの両者に設け、両筒状リブの端部を対向させたことにより、筒状リブが分割されその形成が容易となるとともに、第１の発明と同様な効果を得ることができる。
【００１０】
第３の発明は、特に、第１の発明において、筒状リブは上枠とボディの両者に設け、両筒状リブの端部をオーバーラップさせたことにより、両筒状リブにより確実に熱量が外方に放出されることを抑えることができ、第１、第２の発明と同様な効果を得ることができる。
【００１１】
第４の発明は、特に、第１〜第３のいずれか１つの発明において、筒状リブの端部には相手側と当接するシール用の弾性部材を設けたことにより、弾性部材が相手側である上枠またはボディと当接する、あるいは他方の筒状リブと当接することで、保護枠外方の空間の密閉性は高くなり断熱性能が高くなるものである。
【００１２】
第５の発明は、特に、第１〜第４のいずれか１つの発明において、炊飯器本体の保護枠外方の空間を多重構造とする、保護枠の外周位置の筒状リブを複数設けたことにより、保護枠外方の空間が３重、４重などに形成されるため、より断熱性能を高くすることができ、消費電力量の低減をはかることができる。
【００１３】
以下、本発明の実施の形態について、図面を参照しながら説明する。なお、この実施の形態によって本発明が限定されるものではない。
【００１４】
（実施の形態１）
図１は、本発明の実施の形態１における炊飯器を示すものである。
【００１５】
図に示すように、本実施の形態において、炊飯器本体１は、鍋２の底部と側面を加熱するヒータなどの加熱手段４、１０と、内部に加熱手段４を、外側面には加熱手段１０をそれぞれ配置するとともに鍋２を着脱自在に収納する筒状の保護枠３と、加熱手段４の下方で保護枠３の底部にネジなどで固定した金属製で皿形状の遮熱枠５と、保護枠３の上方位置に構成した合成樹脂製の上枠６と、鍋２の底部の温度を検知する温度検知センサー１２と、温度検知センサー１２の温度情報により加熱制御する制御基板１３と、炊飯器本体１の開口部を覆う開閉自在な蓋１６とを有している。なお、蓋１６はその内部に蓋加熱手段１１と蓋加熱手段１１からの放熱を抑える蓋断熱材１５が配設され、鍋２の上部よりも効果的に加熱するようになっている。この蓋１６は、炊飯器本体１の上部を構成する上枠６に一体に形成されたヒンジ部１７に、ヒンジ軸１８を介して回転自在に支持されている。
【００１６】
そして、前記保護枠３の外周位置で、上枠６と、炊飯器本体１を構成する合成樹脂製のボディ８とには、ほぼ同位置に円筒形などの筒状リブ７、９を一体成型で設け、両筒状リブ７、９の端部を対向させて（必要に応じて当接させて）炊飯器本体１の保護枠３外方の空間を多重構造としている。本実施の形態では、上枠６とボディ８とに筒状リブ７、９を設け、両筒状リブ７、９の端部を対向させているが、上枠６とボディ８のいずれか一方にのみ一つの筒状リブを設け、その端部を相手側、すなわち上枠６かボディ８に対向させて炊飯器本体１の保護枠３外方の空間を多重構造としてもよいものである。
【００１７】
以上のように構成された炊飯器について、以下、その動作、作用を説明する。
【００１８】
鍋２に米と水を入れ通電すると、温度検知センサー１２が鍋２の温度検知し、この温度情報により制御基板１３が加熱手段４、１０、１１の通電を制御し、鍋２上面、側面および底面から加熱して、ご飯全体を包み込むように炊き上げる。炊飯終了と同時に保温に入り、ご飯をあらかじめ設定された保温温度に維持する。
【００１９】
この時、保護枠３外方の位置で上枠６の筒状リブ７とボディ８の筒状リブ９とが対向し、保護枠３外方の空間は二重構造となり、断熱性能を高められ、温度検知センサー１２が鍋２の温度を直に検知することができるため、炊飯時や保温時の鍋２の温度コントロールを低下させることなく、保護枠３に収納されている鍋２内の熱量と加熱手段４、１０の熱量を炊飯器本体１の外方へ放出を抑えることができる。
【００２０】
このように、本実施の形態では、上枠６とボディ８との少なくとも一方に設けた筒状リブにより、炊飯器本体１の保護枠３外方の空間を多重構造としたことにより、炊飯や保温時に鍋２および加熱手段４の熱量が外方に放出されることを抑え、断熱性を高め消費電力量の低減をはかることができる。また、操作する時に触れやすい炊飯器本体１のボディ８側面や電子部品を備えた制御基板１３などの温度上昇を防止することもでき、操作性の向上と制御基板の信頼性を向上させることができる。さらに、炊飯器本体１のボディ８内面の形状が平面でなく曲面であっても、空間を多重構造とすることができ、炊飯器本体１のデザイン性も向上させることができる。
【００２１】
また、本実施の形態では、筒状リブ７、９を上枠６とボディ８の両者に設け、両筒状リブ７、９の端部を対向させたことにより、筒状リブが分割されその形成が容易となるとともに、上記と同様な効果を得ることができる。
【００２２】
なお、本実施の形態では、加熱手段４として、図に示すように鋳込みヒータを熱源として用いた例を示しているが、電磁誘導加熱ヒータやハロゲンヒータなどの他の熱源を用いた場合も同じである。また、加熱手段１０、１１としては、電磁誘導加熱ヒータ、ニクロムヒータ、面状ヒータなどが用いられる。
【００２３】
（実施の形態２）
図２は、本発明の実施の形態２における炊飯器を示すものである。実施の形態１と同一要素については同一符号を付してその説明を省略する。
【００２４】
図に示すように、本実施の形態においては、筒状リブ７、９は上枠６とボディ８の両者に設け、両筒状リブ７、９の端部をオーバーラップさせている。すなわち、筒状リブ７を筒状リブ９の内側位置に設け（外側位置でもよい）、二つの筒状リブ７、９の高さを調節することにより端部をオーバーラップさせ、接触させることで筒状リブ７、９の隙間をなくして密閉性を高め、炊飯器本体１の保護枠３外方の空間をこの筒状リブ７、９により多重構造としている。これにより、断熱性能を高めることができる。その他の炊飯器の構成およびその動作、作用は、実施の形態１と同様である。
【００２５】
このように、本実施の形態では、両筒状リブ７、９のオーバーラップにより確実に熱量が外方に放出されることを抑えることができ、実施の形態１と同様な効果を得ることができる。
【００２６】
（実施の形態３）
図３は、本発明の実施の形態３における炊飯器を示すものである。実施の形態１と同一要素については同一符号を付してその説明を省略する。
【００２７】
図に示すように、本実施の形態においては、筒状リブ７の端部には相手側である筒状リブ９の端部と当接するシリコンゴム製などからなるシール用の弾性部材１４を設けたものである。弾性部材１４は筒状リブ７の端部ではなく、筒状リブ９の端部に設けてもよく、また、両筒状リブ７、９の端部にそれぞれ設けてもよい。その他の炊飯器の構成およびその動作、作用は、実施の形態１と同様である。
【００２８】
このように、本実施の形態では、弾性部材１４により筒状リブ７、９の隙間をなくして密閉性を高め、炊飯器本体１の保護枠３外方の空間を多重構造としている。これにより、保護枠外方の空間の密閉性は高くなり断熱性能が高くなるものである。
【００２９】
（実施の形態４）
図４は、本発明の実施の形態４における炊飯器を示すものである。実施の形態１と同一要素については同一符号を付してその説明を省略する。
【００３０】
図に示すように、本実施の形態においては、延長形成した筒状リブ７の端部には、相手側であるボディ８の底内面と当接するジャバラ状をしたシール用の弾性部材２２を設けたものである。弾性部材２２としては、シリコンゴム、ウレタンゴム、あるいは独立発泡ゴムなどが用いられる。本実施の形態とは逆に、ボディ８に筒状リブ９を延長形成し、その端部に弾性部材２２を設けて、相手側である上枠６の内面と当接するようにしてもよい。その他の炊飯器の構成およびその動作、作用は、実施の形態１と同様である。
【００３１】
このように、本実施の形態では、筒状リブに相手側である上枠６またはボディ８と当接する弾性部材２２を設けることで、保護枠外方の空間の密閉性は高くなり断熱性能が高くなるものである。
【００３２】
（実施の形態５）
図５は、本発明の実施の形態５における炊飯器を示すものである。実施の形態１と同一要素については同一符号を付してその説明を省略する。
【００３３】
図に示すように、本実施の形態においては、炊飯器本体１の保護枠３外方の空間を多重構造とする、保護枠３の外周位置の筒状リブ７、９をこれだけではなく、筒状リブ２０、２１など複数設けたことにより、保護枠３外方の空間が３重、４重などに形成されているものである。筒状リブ７、９のうち一方のみを用いる構成の実施の形態においても同様に筒状リブを複数設けるものである。その他の炊飯器の構成およびその動作、作用は、実施の形態１と同様である。
【００３４】
このように、本実施の形態では、保護枠３外方の空間が３重、４重などさらに多重に形成されるものであるので、より断熱性能を高くすることができ、消費電力量の低減をはかることができる。
【００３５】
なお、上記した各実施の形態１〜５において、制御基板１３の信頼性を向上させることが課題であれば、筒状リブを例えば半円弧状として制御基板１３側（炊飯器本体１の前側）にのみ設けて、炊飯器本体１内部の空間の前側のみを多重構造とすることで、断熱性能を高め、制御基板１３の温度上昇を防止できるものであり、この場合は必ずしも筒状リブとする必要はない。
【産業上の利用可能性】
【００３６】
以上のように、本発明にかかる炊飯器は、炊飯や保温時に鍋および加熱手段の熱量が外方に放出されることを抑え、断熱性を高め消費電力量の低減をはかることができるので、家庭用のみならず業務用の炊飯器の用途にも応用できる。
【図面の簡単な説明】
【００３７】
【図１】本発明の実施の形態１における炊飯器を示す断面図
【図２】本発明の実施の形態２における炊飯器を示す断面図
【図３】本発明の実施の形態３における炊飯器を示す断面図
【図４】本発明の実施の形態４における炊飯器を示す断面図
【図５】本発明の実施の形態５における炊飯器を示す断面図
【符号の説明】
【００３８】
１  炊飯器本体
２  鍋
３  保護枠
４  加熱手段
６  上枠
７、９、２０、２１  筒状リブ
８  ボディ
１３  制御基板
１４、２２  弾性部材
１６  蓋
【図１】
2007313065.tif 000003
【図２】
2007313065.tif 000004
【図３】
2007313065.tif 000005
【図４】
2007313065.tif 000006
【図５】
2007313065.tif 000007